(57)【特許請求の範囲】
【請求項１】
プリミティブに対して編集ウィンドウのＸ方向とＹ方向のピッチと複写図形の個数、終点図形寸法、終点図形角度、終点図形網点から成る指定された様式でリピート複写処理手段がリピート複写処理を行って第１のデザインデータを生成するリピート複写処理過程と、前記第１のデザインデータにおいて指定された部分を指定された形状でデータ抽出処理手段が抽出し抽出データを生成するデータ抽出処理過程と、 前記抽出データを第２のデザインデータにおいて指定された部分にデータ貼込処理手段が貼込むデータ貼込処理過程と、を有することを特徴とする編集処理方法。
【請求項２】
前記第１のデザインデータデータは副画面に表示されており、前記第２のデザインデータは主画面に表示されているデザインデータであることを特徴とする請求項１記載の編集処理方法。
【請求項３】
編集処理手段を有する帳票類デザインシステムであって、前記編集処理手段はリピート複写処理手段とデータ抽出処理手段とデータ貼込手段を有し、前記リピート複写処理手段はプリミティブに対して編集ウィンドウのＸ方向とＹ方向のピッチと複写図形の個数、終点図形寸法、終点図形角度、終点図形網点から成る指定された様式でリピート複写処理を行って第１のデザインデータを生成し、前記データ抽出処理手段は前記第１のデザインデータにおいて指定された部分を指定された形状で抽出し抽出データを生成し、前記データ貼込処理手段は前記抽出データを第２のデザインデータにおいて指定された部分に貼込む、ことを特徴とする帳票類デザインシステム。
【発明の詳細な説明】
【０００１】
【産業上の利用分野】
本発明は、罫図形、スクリーン図形、網点図形、テキスト、イラスト、画像等から構成されるデザインデータの編集処理に関し、特に、副画面に表示されているデザインデータにおいて指定された部分を形状で抽出し、抽出されたデータを主画面に表示されている別のデザインデータに貼込を行う編集処理方法およびそれを適用した帳票類デザインシステムに関する。
【０００２】
【従来の技術】
帳票類の版下デザイン、製版デザイン等においては、罫図形、スクリーン図形、網点図形、テキスト、イラスト、画像等の多種のデータが含まれており、たとえば、それらをプリミティブとして登録しておき、デザインの際に、使用するプリミティブを呼び出し、そのプリミティブをレイアウトしてデザインが進められる。また、繰返し使用されるデータでなければプリミティブとしては登録せず、各種データファイルとして記憶装置に格納しておき、やはり必要な時にファイルをオープンして呼出し、そのデータをレイアウトしてデザインが進められる。
呼び出されたデータはそのままで使用される場合もあるが、普通は何らかの処理を行って変形しレイアウトされる。たとえば処理としては、拡大または縮小、移動、回転、複写、データの一部を抽出する（トリミングを含む）等の処理が行われる。
【０００３】
ここでデータの一部を抽出する処理は、次のように行われる。
▲１▼デザイン画面（他の画面であってもよい）に抽出対象のデータ（全体データ）を開く。
▲２▼その全体データの使用する部分に矩形の外枠を形成し、その矩形の中のデータ（部分データ）を特定の記憶場所に複写する。
▲３▼その全体データを閉じる。
▲４▼前述の特定の記憶場所に複写されている矩形状の部分データをデザイン画面に貼込む。
▲５▼矩形状の部分データ内に所定形状のトリミング枠を形成する。
▲６▼部分データのトリミング枠の外側のデータを消去し、トリンミング済データを生成する。
そして最後に、トリミング済データをデザイン画面の所定の位置にレイアウトする。
【０００４】
【発明が解決しようとする課題】
上述のようにデータの一部を抽出する処理を行うことができる。しかし、かなり煩雑な処理であり、作業負荷が大きい。特に、トリミング枠の内側のデータを生成するために、矩形状枠の内側のデータを抽出して複写や貼込を行う点およびトリミング枠の外側のデータを消去する点が必要とされ、これらが作業を煩雑化する要因となっている。
そこで本発明の目的は、データを指定した任意形状で切り取り貼込むことのできる、極めて操作性の良好な編集処理方法およびそれを適用した帳票類デザインシステムを提供することにある。
【０００５】
【課題を解決するための手段】
上記目的は下記の本発明によって達成される。即ち、本発明は、プリミティブに対して編集ウィンドウのＸ方向とＹ方向のピッチと複写図形の個数、終点図形寸法、終点図形角度、終点図形網点から成る指定された様式でリピート複写処理手段がリピート複写処理を行って第１のデザインデータを生成するリピート複写処理過程と、前記第１のデザインデータにおいて指定された部分を指定された形状でデータ抽出処理手段が抽出し抽出データを生成するデータ抽出処理過程と、 前記抽出データを第２のデザインデータにおいて指定された部分にデータ貼込処理手段が貼込むデータ貼込処理過程と、を有する編集処理方法、である。
【０００６】
また本発明は、前記第１のデザインデータデータは副画面に表示されており、前記第２のデザインデータは主画面に表示されているデザインデータである編集処理方法、である。
【０００７】
また本発明は、編集処理手段を有する帳票類デザインシステムであって、前記編集処理手段はリピート複写処理手段とデータ抽出処理手段とデータ貼込手段を有し、 前記リピート複写処理手段はプリミティブに対して編集ウィンドウのＸ方向とＹ方向のピッチと複写図形の個数、終点図形寸法、終点図形角度、終点図形網点から成る指定された様式でリピート複写処理を行って第１のデザインデータを生成し、前記データ抽出処理手段は前記第１のデザインデータにおいて指定された部分を指定された形状で抽出し抽出データを生成し、前記データ貼込処理手段は前記抽出データを第２のデザインデータにおいて指定された部分に貼込む、帳票類デザインシステム、である。
【０００８】
【作用】
本発明の編集処理方法によれば、リピート複写処理過程においてプリミティブに対して編集ウィンドウのＸ方向とＹ方向のピッチと複写図形の個数、終点図形寸法、終点図形角度、終点図形網点から成る指定された様式でリピート複写処理手段によってリピート複写処理が行われ第１のデザインデータが生成され、データ抽出処理過程において第１のデザインデータにおいて指定された部分が指定された形状でデータ抽出処理手段によって抽出され抽出データが生成され、データ貼込処理過程において抽出データが第２のデザインデータにおいて指定された部分にデータ貼込処理手段によって貼込まれる。
【０００９】
また本発明の編集処理方法によれば、第１のデザインデータデータは副画面に表示されており、第２のデザインデータは主画面に表示されているデザインデータである。
【００１０】
また本発明の帳票類デザインシステムによれば、編集処理手段を有する帳票類デザインシステムであって、編集処理手段はリピート複写処理手段とデータ抽出処理手段とデータ貼込手段を有し、リピート複写処理手段によりプリミティブに対して編集ウィンドウのＸ方向とＹ方向のピッチと複写図形の個数、終点図形寸法、終点図形角度、終点図形網点から成る指定された様式でリピート複写処理を行って第１のデザインデータを生成し、データ抽出処理手段により第１のデザインデータにおいて指定された部分が指定された形状で抽出され抽出データが生成され、データ貼込処理手段により抽出データが第２のデザインデータにおいて指定された部分に貼込まれる。
【００１１】
【実施例】
以下、本発明の編集処理方法および帳票類デザインシステムについて好適な実施例により説明する。
図１は本発明の編集処理方法を実施する装置の構成を示す図である。図１において、１の実線の枠で囲まれた部分は本発明の編集処理方法を実施する編集処理装置、２はイーサーネット等のＬＡＮ（Local Area Network）、３は基礎部品（プリミティブ）データ、デザインデータ、その他のデータを保存するとともにそれらのデータをＬＡＮを通じて編集処理装置１との間で相互に転送するデータストアシステム、４はキーボード、マウス等の入力装置、５はディスプレイ、プリンタ等の出力手段である。
【００１２】
図１において、編集処理装置１は更に細部から構成されており、６は記憶手段、７は演算手段であり、パーソナルコンピュータ、エンジニアリングワークステーション等のコンピュータの本体部分である。
そして記憶手段６において、８はデータストアシステム３から読込んだ、あるいはもともと記憶されている第１のデザインデータ、９は第１のデザインデータ８からデータ貼込処理等を行い得る第２のデザインデータである。
さらに演算手段７において、１０は第１のデザインデータにおいて指定された部分を指定された形状で抽出し抽出データを生成するデータ抽出処理ルーチン、１１は抽出データを第２のデザインデータにおいて指定された部分に貼込むデータ貼込処理ルーチンである。
【００１３】
図２は編集処理装置における処理の流れを示すフロー図である。処理の詳細については後述するとし、まず図２において処理の概略について説明する。
まず模様作成処理を行うか否かが判定される（Ｓ１）。模様作成処理は文字通り模様を作成する処理であるが、線図形、罫図形、スクリーン図形、網点図形、テキスト、画像等のデータ読込処理の機能を有し、データの読込みだけを行うこともできる（Ｓ２）。
次に読込データ、模様作成処理を行ったデータ、あるいは何らかの処理過程で既に存在しているデータについて、指定された部分を指定された形状で抽出するデータ抽出処理が行われ、抽出データが生成される（Ｓ３）。次に、抽出データの貼込を行うデザインデータにおいて貼込部分を指定して、抽出データの貼込を行う（Ｓ４）。
編集処理を継続するか終了するかが判定され、継続する場合にはＳ１に戻る（Ｓ５）。
【００１４】
図３は帳票類を作成する主画面の一例を示す図である。また図４はデータ入力を対話的に行うダイアログ画面の一例を示す図であり、主画面においてレイアウトパレットを選択した場合に表示されるレイアウトパレットである。また図５はレイアウトパレットにおいてリピートを選択した場合に表示されるダイアログ画面であり、リピート複写処理の様式を指定するリピート複写様式指定画面を示す図である。また図６は副画面の一例であり、リピート複写処理によって生成されたデザインデータが表示される編集ウィンドウを示す図である。また図７はリバースとターンオーバー指定によって生成されるデザインデータの説明図である。また図８はリピート複写処理によって生成されるデザインデータの一例を示す図である。図９は編集ウィンドウにおいてトリミングを行った一例を示す図である。
【００１５】
次にこれら図１〜図９に基づいて、本発明の編集処理方法について説明する。図２の模様作成Ｓ２においては、模様の部品であるプリミティブを指定することが最初に行われる。それは、図３に示す主画面において指定するプリミティブにマウスの指示ポイントを置いてマウスボタンをクリックすることによって行われる。図３においては指定されたプリミティブは円であり、指定され指定状態となった円の周辺に４つの黒丸●と中心に白丸○が表示され指定状態であることを示している。この白丸○は基準点を表しており、プリミティブが指定されるとデフォルトとして中心が基準点となる。基準点を変更する場合は、基準点としたい黒丸●にマウスの指示ポイントを置いてマウスボタンをクリックすることによってその黒丸●が白丸○に、また旧基準点の白丸○は黒丸●に変化する。
【００１６】
図２の模様作成Ｓ２における次の処理は様式指定であり、それは図５に示すリピート複写様式指定画面において行われる。リピート複写様式指定画面は、図３に示す主画面において“レイアウトパレット”と表示されている部分にマウスの指示ポイントを置いてマウスボタンをクリックすることによって表示される図４に示すレイアウトパレット画面において、さらに“リピート”と表示されている選択ボタンにマウスの指示ポイントを置いてマウスボタンをクリックすることによって表示される。
またリピート複写様式指定画面が表示されると、図６に示す編集ウインドウも同時に表示される。この編集ウインドウが副画面である。
【００１７】
様式指定はこのリピート複写様式指定画面（図５）において下記のパラメータを設定することによって行われる。なお下記において▲２▼〜▲４▼はオプション機能であり、目的に応じて設定される。
▲１▼Ｘ方向のピッチと個数、およびＹ方向のピッチと個数
▲２▼拡大または縮小変化
終点図形寸法（％）、ステップ回数、リバースとターンオーバー指定
▲３▼回転変化
終点図形角度（度）、ステップ回数、リバースとターンオーバー指定
▲４▼色調変化
終点図形網点（％）、ステップ回数、リバースとターンオーバー指定
上記パラメータが設定され設定ボタン（図５）が選択されると、そのパラメータで生成される模様（デザインデータ）が編集ウインドウに表示される。
【００１８】
次に各オプション機能について説明する。“拡大または縮小変化”の機能は、指定状態のプリミティブを原寸とみなし指定された条件の下でプリミティブを並べるものである。条件“終点図形寸法”は拡大または縮小率の終了条件を与える。１００％より大きい値が設定された場合は拡大条件が設定されたものとみなし、１００％より小さい値が設定された場合は縮小条件が設定されたものとみなす。また条件“ステップ回数”は拡大または縮小変化におけるきざみ回数を指定する。また条件“リバースとターンオーバー指定”は終点図形寸法％で指定された終了条件に到達した場合に、その折り返し条件を設定する。図７（Ａ）リバース“ＯＦＦ”が指定された場合を示す図であり、図７（Ｂ）リバース“ＯＮ”かつターンオーバー“ＯＦＦ”が指定された場合を示す図であり、図７（Ｃ）リバース“ＯＮ”かつターンオーバー“ＯＮ”が指定された場合を示す図である。
【００１９】
“回転変化”の機能は、指定状態のプリミティブを０度状態にあるとみなし、指定された条件の下でプリミティブを並べるものである。条件“終点図形角度”は時計回りの回転角度値で回転の終了条件を与える。また条件“ステップ回数”は回転変化におけるきざみ回数を指定する。また条件“リバースとターンオーバー指定”は終点図形角度で指定された終了条件に到達した場合に、前述と同様にその折り返し条件を設定する。
【００２０】
“色調変化”の機能は、指定状態のプリミティブの網点％を指定された条件の下で変化させながらプリミティブを並べるものである。条件“終点図形網点”は網点％の終了条件を与える。プリミティブが単色製版か多色製版かによって図５における設定箇所が異なる。単色製版の場合には“網”の設定箇所に網点％を設定し、多色製版の場合には“Ｙ”，“Ｍ”，“Ｃ”，“Ｋ”それぞれの設定箇所に網点％を設定する。また条件“ステップ回数”は色調変化におけるきざみ回数を指定する。また条件“リバースとターンオーバー指定”は終点図形網点で指定された終了条件に到達した場合に、前述と同様にその折り返し条件を設定する。
【００２１】
以上のように様式指定が行われ図５における“設定”が選択されると、図２の模様作成Ｓ２における次の処理であるリピート複写処理が指定された様式で行われる。そして図６の編集ウインドウにリピート複写されたデザインデータが表示される。図８は矩形のプリミティブがリピート複写され生成されたデザインデータの一例を示している。
様式指定においてステップ回数を１回とすれば、１つだけプリミティブが複写されることとなり、単にプリミティブを図６の編集ウインドウに読込んだこととなる。勿論、上述の▲２▼〜▲４▼の設定を行って読込みと同時にプリミティブの変形を行うことができる。図６に示すように、この編集ウインドウには画像が１つ読込まれている。
【００２２】
次に図１におけるデータ抽出処理ルーチン１０、または図２におけるデータ抽出Ｓ３について説明する。データ抽出処理は編集ウインドウ（副画面）に表示されているデザインデータの指定された部分を指定された形状で抽出し、抽出データを生成するデータ抽出処理過程である。
図６に示すように編集ウインドウの左側および下側には編集ウインドウが有する各種機能の選択ボタン、設定部分が表示されている。左側の最上部は作画ツールパレットであり、線画を作成するための部品として、直線、斜線、平行線、矩形、円、楕円、自由曲線、テキスト等が登録されており、その部品を選択し組合わせることによって任意の形状の線画を作成でき、それをデータ抽出のためのトリミング枠とする。また左側の中間部は座標入力パレットであり、座標値を数値入力することによって任意の形状の線画を作成し、それをデータ抽出のためのトリミング枠とする。また左側の最下部はトリミングサイズパレットであり、Ｘ方向サイズとＹ方向サイズを入力することによって矩形のトリミング枠が生成される。
【００２３】
図９は編集ウィンドウにおいて抽出する形状の指定、すなわちトリミングを行った一例を示す図である。このようにトリミングを行ったのち、編集ウィンドウの“設定”ボタンを選択すると、そのトリミング形状部分が抽出されて抽出データが生成される。また“設定”ボタンの選択により、編集ウインドウ（図６）、リピート複写様式指定画面（図５）、レイアウトパレット（図４）が閉じられる。すなわち主画面（図３）が残って、出力装置４のディスプレイに表示される。
【００２４】
次に図１のデータ貼込処理ルーチン１１、または図２のデータ貼込Ｓ４について説明する。前述のように主画面には上記抽出データが指定状態で表示されており、マウスの指示ポイントを抽出データの内部において、マウスボタンを押したまま移動する（ドラッグ）と抽出データも移動する。配置したい位置に抽出データを移動し、マウスボタンを離すと、そこに抽出データが貼込まれる。抽出データの位置を修正したい場合には、マウスの指示ポイントを抽出データの上に置いてマウスボタンをクリックすることによって抽出データを指定状態とし、再び上記ドラッグ操作を繰り返せばよい。
【００２５】
次に上述の編集処理方法を帳票類デザインシステムに適用した本発明の帳票類デザインシステムについて説明する。
なおここでは帳票類とは、伝票、複写伝票、ＯＣＲ帳票、通帳、申込票、通知票、等の所定のデータを記入するための項目（記入欄）が設けられているものを指す。
図１０は本発明の帳票類デザインシステムとその周辺装置を含み、メイン事業所と遠隔事業所とを結ぶ総合システムの構成の一例を示す図である。図１０において、２１ａ，２１ｂは編集処理処理機能を有する本発明の帳票類デザインシステムと入出力装置からなるＢＦＤ（Business Form Design）ターミナル、２２はＬＡＮのイーサネット、２３はＢＦＤデータ、各種画像データ（カラー画像、部品画像等）のデータを保管・管理するデータストアシステム、２４は原稿画像等の入力を行う製版用スキャナー、２５は写真フィルムに画像データを出力するフィルム出力機、２６はＢＦＤデータのデータ形式を変換した画像データを得るＢＦＤ変換サーバー、２７はカラー画像データを普通紙上にカラープリントアウトするカンプ出力機、２８は印刷用の版下を作成する版下作成システムであるＦＣＳ（Form Composing System ）、２９は遠隔地間のネットワークを接続する装置のルータである。
【００２６】
図１１は本発明の帳票類デザインシステム２１（ａ，ｂ）のメインルーチンの処理の流れを示すフロー図である。図１１において、帳票類デザインシステム２１を立ち上げるとディスプレイにメインメニューが表示される（Ｓ２１）。メインメニューには“ユーティリティ”、“帳票作成”、“出力”、“終了”の４つのメニューがあって、それらの１つを選択することによって、それらの処理に進む（Ｓ２２）。“ユーティリティ”が選択されるとユーティリティ処理ルーチン（Ｓ２３）が起動され、“帳票作成”が選択されると帳票作成処理ルーチン（Ｓ２４）が起動され、“出力”が選択されると出力処理ルーチン（Ｓ２５）が起動され、“終了”が選択されると帳票類デザインシステムが終了する。“終了”以外の処理ルーチンが終了した場合にはメインルーチンのメインメニュー表示（Ｓ２１）に戻る。
【００２７】
ユーティリティ処理ルーチン（Ｓ２３）においては、さらにサブメニューがあり、“部品画像管理”、“カラー画像管理”、“ＢＦＤデータ管理”、“帳票部品データ管理”、“サンプル帳票データ管理”、“ＷＳ（Workstation ）データの取り込み処理”、が行われる。
“部品画像管理”においては、ユーザ単位でのロゴデータの管理、約物等の管理処理を行う。また部品画像（プリミティブ）用のカートリッジＭＴのイニシャライズ、部品画像データのセーブ、部品画像データのロードの各処理を行う。
“カラー画像管理”においては、写真画像の管理処理を行う。またカラー画像用のカートリッジＭＴのイニシャライズ、カラー画像データのセーブ、カラー画像データのロードの各処理を行う。
【００２８】
“ＢＦＤデータ管理”においては、ＢＦＤで作成したデータの管理処理を行う。またＢＦＤデータ用のカートリッジＭＴのイニシャライズ、ＢＦＤデータのセーブ、ＢＦＤデータのロードの各処理を行う。
“帳票部品データ管理”においては、帳票部品（必要箇所のみ分割して部品格納している帳票）の管理処理を行う。また帳票部品データ用のカートリッジＭＴのイニシャライズ、帳票部品データのセーブ、帳票部品データのロードの各処理を行う。
“サンプル帳票データ管理”においては、サンプル帳票（プレゼンテーション帳票）の管理処理を行う。またサンプル帳票データ用のカートリッジＭＴのイニシャライズ、サンプル帳票データのセーブ、サンプル帳票データのロードの各処理を行う。
“ＷＳ（Workstasion ）データの取り込み処理”においては、ＷＳを経由してスキャナーから取込んだ画像データの余白除去、データ登録を行う処理を行う。
【００２９】
出力処理ルーチン（Ｓ２５）においては、カンプ出力機２７（図１０参照）に全色合成出力、またはＣ（Cyan），Ｍ（Mgenta），Ｙ（Yellow），Ｂｋ（Black ），特色１〜特色２４までの分色出力を行う“カンプ出力処理”、フィルム出力機２５（図１０参照）にＣ，Ｍ，Ｙ，Ｂｋ，特色１〜特色２４までの分色ポジフィルム、または分色ネガフィルムを出力する“フィルム出力処理”を行う。またそれらの出力を行う際にレイアウトして出力する“レイアウト出力処理”を行う。
【００３０】
“レイアウト出力処理”においては、さらにサブメニューがあり、“レイアウト”、“オフセット”、“回転出力”が行われる。
“レイアウト”においては、さらにサブメニューがあり、“自動”、“位置指定”が行われる。
“自動”は、帳票をマルチ出力（配列して複数の帳票を出力）する際、直前までの帳票のレイアウトに対し、次に配置する帳票を右側に配置するのか、下側に配置するのかを指定することにより自動的に配置を完了する処理を行う。
“位置指定”は、差し替え出力、および合成出力等を行う場合に指定する処理であり、指定した帳票の左上を基準とした座標値入力によりレイアウト指定を行う。すなわち、▲１▼位置指定サブメニューが指定された時点で、対象となる帳票をマウスにて指定する。▲２▼座標入力ウインドウにて指定された帳票の左上を基準とした相対座標値を入力する。
【００３１】
“オフセット”においては、さらにサブメニューがあり、“オフセット有り”、“オフセット無し”が行われる。デフォルトは“オフセット有り”である。
“オフセット有り”は、フィルムの外枠サイズに対して、外枠から内側に所定のオフセット距離を有する仕上がりサイズが与えられる。
“オフセット無し”は、仕上がりサイズとフィルムサイズが一致する状態であり、仕上がりサイズ外に存在するトンボは除去される。
“回転出力”においては、さらにサブメニューがあり、“正向き出力”、“９０度回転出力”、“１８０度回転出力”、“２７０度回転出力”、が行われる。デフォルトは“正向き出力”である。
“正向き出力”は、その名称のとおり帳票が正向きに出力される。他はその名称のとおりの角度だけ時計回りに回転されて出力される。
【００３２】
次にメインルーチンにおいて帳票作成処理ルーチンが起動された場合について説明する。図１２は帳票作成処理ルーチンにおける処理の流れを示すフロー図である。
図１２において帳票作成処理ルーチン（図１１のＳ２４）が起動されると、この処理ルーチンにおけるサブメニューが表示される（Ｓ３１）。サブメニューは、“ファイル”、“デザイン”、“表示”、“分色”、“ユーティリティ”、“レイアウト”、“編集”、“部品”からなり、これらのサブメニューから１つが選択されると、選択されたメニューの処理ルーチンが起動される（Ｓ３２）。
【００３３】
ファイル処理ルーチン（Ｓ３３）は、さらにサブメニュー“読込み”、“登録”、“合成”、“属性”からなり、ＢＦＤファイルの読込みまたは登録処理を行う。“読込み”はＢＦＤファイルの読込みを行い、“登録”はＢＦＤファイルの登録を行い、“合成”は同一オーダーの各枚目を合成し一つの枚目に合成を行い、“属性”は各枚目の属性（サイズ等を）の指定を行う。
デザイン処理ルーチン（Ｓ３４）は、さらにサブメニュー“作画ツール”、“テキスト”、“カラー画像”、“部品画像”、“トンボ”からなり、帳票をデザインするための各種ツールを提供する。“作画ツール”は直線、ボックス、円、楕円、連続線、自由曲線、等分割線、閉領域スクリーン（網版作成）、補助線の作成を行い、“テキスト”は日本語、欧文の文章作成を行い、“カラー画像”はカラー画像の貼込みを任意の形状でトリミングして行い、“部品画像”はロゴ画像の貼込みを任意の形状でトリミングして行い、“トンボ”は印刷管理用のトンボ（位置合わせマーク）を貼込みを行うツールである。
【００３４】
表示処理ルーチン（Ｓ３５）は、さらにサブメニュー“チャート設定”、“画面ズーム”、“補助線表示”、“画面切り替え”、“画面スクロール”からなり、ディスプレイ表示に関する各種ツールを提供する。“チャート設定”は指定のチャートをディスプレーに表示し、“画面ズーム”は表示されている画面を拡大表示し、“補助線表示”は補助線を表示し、“画面切り替え”はフォーム台紙（登録データ作成画面）、作業台紙（ワーク画面）の２つの画面を切り替え、“画面スクロール”は表示する画面をスクローする処理を行う。
分色処理ルーチン（Ｓ３６）は、さらにサブメニュー“主版設定”、“フィルター分色”、“個別分色”からなり、ＢＦＤデータ、およびＦＣＳ版下データの分色作業を行う処理を行う。“主版設定”は罫線、網版、文字の各データに対し主に使用する色属性を一括して設定し、“フィルター分色”は任意形状により、その中に含まれる罫線、網版、文字のそれぞれに対し色属性を指定し、“個別分色”は個々のデータに対し、簡易的に色属性のみを指定する処理を行う。
【００３５】
ユーティリティ処理ルーチン（Ｓ３７）は、さらにサブメニュー“カラーコンバージョン”、“スクリーン設定”、“部品画像ＤＢ検索”、“カラー画像ＤＢ検索”からなり、帳票作成モードにおけるデザイン補助処理を行う。“カラーコンバージョン”は特色にて作成した帳票データを一括してプロセスカラーに変更し、“スクリーン設定”は使用する出力機の解像度、線数、角度を設定し、“部品画像ＤＢ検索”は得意先ロゴ等をデータベースより検索し、“カラー画像ＤＢ検索”はカラー画像（写真等）をデータベースより検索する処理を行う。
【００３６】
レイアウト処理ルーチン（Ｓ３８）は、さらにサブメニュー“補助線移動”、“垂直線基準移動”、“水平線基準移動”、“線対象コピー”、“コピー鏡像”、“回転”、“リピート”からなり、デザインレイアウトに関する処理を行う。“補助線移動”は入力した補助線に対し指定図形を揃え、“垂直線基準移動”は指定した図形、テキスト等を垂直基準線に揃え、“水平線基準移動”は指定した図形、テキスト等を水平基準線に揃える処理を行う。
また“線対象コピー”は指定した図形を基準線（垂直、水平）を基準とし対象にコピーし、“コピー鏡像”は指定した図形を基準線（垂直、水平）を基準とし鏡像イメージでコピーする処理を行う。これら“線対象コピー”、“コピー鏡像”は前述したように本発明を構成する部分である。また“回転”は指定した図形を任意角度に回転し、“リピート”は地紋等を主に作成する処理を行う。
この“リピート”処理においては単純な並べ処理とともに、拡大または縮小を行いながらの並べ処理、回転を徐々に行いながらの並べ処理、網％を徐々に変化させながら図形を並べる処理を行う。また、処理後は編集画面でのトリミング処理により任意の形状に切り取ることができる。
【００３７】
編集処理ルーチン（Ｓ３９）は、サブメニューとして図形の“移動”、“拡大または縮小”、“回転”、“カット”、“コピー”、“パック”を有し、図形編集に関する処理を行う。“パック”は複数図形をグループ化し、各種操作の対象とする処理である。なお、本発明の編集処理方法はこの編集処理ルーチンにおける処理である。
部品処理ルーチン（Ｓ４０）は、さらにサブメニュー“ＢＦＤデータ”、“ＦＣＳデータ”、“サンプル部品”、“帳票部品”からなり、各種部品の読込みまたは登録処理を行う。プリミティブ（すなわち部品）はこの部品処理ルーチンにおいて読込みまたは登録処理が行われる。“ＢＦＤデータ”はＢＦＤデータの読込みを行い、“ＦＣＳデータ”はＦＣＳにて作成された版下データの読込みを行い、“サンプル部品”はプレゼンテーション帳票の登録を行い、“帳票部品”は帳票中の必要箇所のみ切り取り、部品として登録を行うとともに登録されている帳票部品を読込み現在編集中のデータと合成する処理を行う。
【００３８】
【発明の効果】
以上の説明のように、本発明によればプリミティブをリピート複写したデータを生成でき、そのデータを指定した任意形状で切取り貼込むことのできる、極めて操作性の良好な編集処理方法およびそれを適用した帳票類デザインシステムが提供される。
【図面の簡単な説明】
【図１】本発明の編集処理方法を実施する装置の構成を示す図である。
【図２】編集処理装置における処理の流れを示すフロー図である。
【図３】帳票類を作成する主画面の一例を示す図である。
【図４】主画面においてレイアウトパレットを選択した場合に表示されるレイアウトパレットを示す図である。
【図５】レイアウトパレットにおいてリピートを選択した場合に表示されるダイアログ画面であり、リピート複写処理の様式を指定するリピート複写様式指定画面を示す図である。
【図６】副画面の一例であり、リピート複写処理によって生成されたデザインデータが表示される編集ウィンドウを示す図である。
【図７】リバースとターンオーバー指定によって生成されるデザインデータの説明図である。
【図８】リピート複写処理によって生成されるデザインデータの一例を示す図である。
【図９】編集ウィンドウにおいてトリミングを行った一例を示す図である。
【図１０】本発明の帳票類デザインシステムとその周辺装置を含み、メイン事業所と遠隔事業所とを結ぶ総合システムの構成の一例を示す図である。
【図１１】本発明の帳票類デザインシステムのメインルーチンの処理の流れを示すフロー図である。
【図１２】帳票作成処理ルーチンにおける処理の流れを示すフロー図である。
【符号の説明】
１  編集処理装置
２  ＬＡＮ
３，２３  データストアシステム
４  入力装置
５  出力装置
６  記憶手段
７  演算手段
８  第１のデザインデータ
９  第２のデザインデータ
１０  データ抽出処理ルーチン
１１  データ貼込処理ルーチン
２１ａ，２１ｂ  ＢＦＤターミナル
２２  イーサネット
２４  製版用スキャナー
２５  フィルム出力機
２６  ＢＦＤ変換サーバー
２７  カンプ出力機
２８  ＦＣＳ
２９  ルータ
【図１】
0003802098.tif 000002
【図２】
0003802098.tif 000003
【図３】
0003802098.tif 000004
【図４】
0003802098.tif 000005
【図５】
0003802098.tif 000006
【図６】
0003802098.tif 000007
【図７】
0003802098.tif 000008
【図８】
0003802098.tif 000009
【図９】
0003802098.tif 000010
【図１０】
0003802098.tif 000011
【図１１】
0003802098.tif 000012
【図１２】
0003802098.tif 000013